(57)【要約】【課題】箱体内を密閉状態に保ちながら、当該箱体内外の湿気の流通ができ、長期間にわたって、結露防止が図れる機器を収納する箱体の調湿構造を提供する。【解決手段】機器を収納設置する箱体の調湿構造において、当該外箱１の側面板３に開口部４を設け、当該開口部４を調湿機能を有する板体６で塞ぎ、当該板体６を通じて、当該外箱１内外の湿気の流通を行い当該外箱１内の湿度の調整を行うこととした。また、前記調湿機能を有する板体６は、湿気を毛管凝縮によって水として取り込んで吸収し、湿度の低い方へ気化して放出する機能を有することとした。【選択図】図１
2009106030.tif 000002
【特許請求の範囲】
【請求項１】
機器を収納設置する箱体の調湿構造において、
当該箱体の外面に開口部を設け、当該開口部を調湿機能を有する部材で塞ぎ、当該部材を通じて、当該箱体内外の湿気の流通を行い当該箱体内の湿度の調整を行うことを特徴とした、機器を収納する箱体の調湿構造。
【請求項２】
前記調湿機能を有する部材は、湿気を毛管凝縮によって水として取り込んで吸収し、湿度の低い方へ気化して放出する機能を有することを特徴とする、前記請求項1に記載の機器を収納する箱体の調湿構造。
【発明の詳細な説明】
【技術分野】
【０００１】
この発明は、配電機器等を収納して設置する、いわゆる外箱において、当該外箱内の結露の発生を防ぐ、機器を収納する箱体の調湿構造に関するものである。
【背景技術】
【０００２】
配電機器等を収納設置した外箱においては、この外箱内で結露が発生すると当該配電機器等の絶縁が破壊されたり、部材が錆びる等の不具合が生じることがあり、その様なことが無いよう、当該外箱内で結露が発生しないように対策が講じられている。
【０００３】
この対策としては、例えば、外箱を密閉し、外箱内への湿気の流入を防ぐ方法、また、特許文献1に示すように、当該外箱に換気孔を設けて外箱の外気と同温度、同湿度状態とする方法などがある。
【特許文献１】実公平７−３７６１号公報
【発明の開示】
【発明が解決しようとする課題】
【０００４】
しかしながら、前記前者の方法では、外箱の扉を開放させた際、又はケーブル等の導入口の間隙などから、内部に湿気が流入することがあり、その場合、一旦外箱内部に流入した湿気が逃げ難く、外箱の設置環境によっては、結露した状態が継続する。また、前記後者の方法では、外箱の外気との温度差及び湿度差が無くなり、結露の発生を防ぐことは出来るが、換気孔から、塩分、塵埃、昆虫及び小動物等の侵入により、収納設置機器に不具合を生じさせるおそれがあった。
【０００５】
また、例えば、より完全な結露防止を図るため、前記二つの方法を併用しようとしても、これらは、相反する構成のため、併用することは困難であった。さらに、密閉された外箱内に、吸湿機能を有する部材を備えて結露発生を防止する方法があるが、外箱内に継続的に湿気が流入する場合、前記部材の吸湿許容量が飽和状態となった場合、吸湿機能を失うので、その都度新しい部材との取替えが必要であった。
【０００６】
この発明は、この様な状況に鑑みて行われたもので、箱体内を密閉状態に保ちながら、当該箱体内外の湿気の流通ができ、長期間にわたって、結露防止が図れる機器を収納する箱体の調湿構造を提供して前記課題を解決するものである。
【課題を解決するための手段】
【０００７】
請求項１の発明は、機器を収納設置する箱体の調湿構造において、当該箱体の外面に開口部を設け、当該開口部を調湿機能を有する部材で塞ぎ、当該部材を通じて、当該箱体内外の湿気の流通を行い当該箱体内の湿度の調整を行う機器を収納する箱体の調湿構造とした。
【０００８】
請求項２の発明は、前記調湿機能を有する部材は、湿気を毛管凝縮によって水として取り込んで吸収し、湿度の低い方へ気化して放出する機能を有する前記請求項1に記載の機器を収納する箱体の調湿構造とした。
【発明の効果】
【０００９】
請求項１の発明によれば、箱体の一側面に開口部を設け、調湿機能を有する部材で前記開口部を塞ぎ、当該部材を通じて、当該箱体内外の湿気の流通を行い当該箱体内の湿度の調整を行うこととしたので、常に、箱体内の湿度を外部とほぼ一定にすることが出来、箱体内の結露の発生を防止できる。
【００１０】
また、湿気を外部に流出させながら箱体内への空気や塩分、塵埃の侵入を防止することが出来るため事実上の密閉構造が確実に実現でき、箱体内部機器の劣化を抑制出来、さらに、箱体内の機器の異常を来たすような危険要因の昆虫や小動物等の箱体内への侵入を防止することが出来る。
これにより、箱体の中に収納設置した機器の長期間にわたる使用が出来、これらの機器の信頼性の向上にも繋がるものである。
【００１１】
請求項２の発明によれば、調湿機能を有する部材は、湿気を毛管凝縮によって水として取り込んで吸収し、湿度の低い方へ気化して放出する機能を有することとしたので、より確実に調湿機能を発揮させることが出来る。
【発明を実施するための最良の形態】
【００１２】
機器を収納設置する箱体の調湿構造において、当該箱体の外面に開口部を設け、当該開口部を調湿機能を有する部材で塞ぎ、当該部材を通じて、当該箱体内外の湿気の流通を行い当該箱体内の湿度の調整を行った。
【００１３】
これにより、常に、箱体内の湿度を外部とほぼ一定にすることが出来、箱体内の結露の発生を防止できる。
【実施例１】
【００１４】
以下、この発明の実施例を図に基づいて説明する。
図１は、この発明の実施例の外箱の調湿構造を設けた状態を示す一部断面図である。図２は、この発明の実施例の調湿機能を有する板体の斜視図である。図３は、この発明の実施例の外箱の開口部に取り付けた板体が湿気のみを流通する様子を示す側面図である。
【００１５】
まず、この発明の実施例において使用する外箱１を説明する。この外箱１は、図1に示すように、一般的に、ビル等の建築物の近くの屋外の歩道上に設置されているもので、平面長方形状の枠体から成るベース２の上に直方体形状の箱体を縦長に設けたものから成る。この外箱１の前面には観音開きの開閉扉を備え（図示省略）、一方の側面板３の上部には四角形状の開口部４を設けている。この外箱１の中には、地中配電用機器として多回路開閉器５が収納されている。
【００１６】
調湿機能を有する部材としては、板体形状とし、湿気のみを流通させるものを使用する。ここでは、積水化学工業株式会社製の商品名「ロバリア」を使用する。この積水化学工業株式会社製商品名「ロバリア」は、特殊炭酸カルシウムから成り、図２に示すように、四角形状で、その表面及び内部に微細な空孔７を無数に設けており、高い吸放湿機能を有している。この板体６を前記開口部４にあてがってこの開口部４を完全に塞ぎ、予めこの外箱１の開閉扉等の端縁に設けたシール材等で固定し、当該外箱１を密閉状態にする。
【００１７】
この時、前記開口部４に取り付けられた板体６の外面は、外箱２の外気に接し、板体６の内面は外箱２内の空気に接している状態に有る。
【００１８】
この様に、板体６で開口部４を塞いだ外箱１内の方が外箱１外より湿度が高い場合、結露する温度に達する前に、毛管凝縮作用により、外箱１内の湿気を板体６の前記微細な空孔７内に水として取り込み、取り込まれた水は、隣接する空孔７へと浸潤して移動し、外箱１の外側に露出した空孔７から外箱１外に放出される。
【００１９】
また、反対に外箱１外の方が内部より湿度が高い場合、毛管凝縮作用により、板体６の空孔７内に水として取り込んだ水は、隣接する空孔７へと浸潤して移動し、外箱１の内側に位置する空孔７から外箱１内に放出される。また、この時、前記外箱２は完全気密ではなく、外箱２の内外では圧力差は生じていないので空気の移動は無い。
【００２０】
この様に、板体６内の微細な空孔７は、湿気にとって、結果的に夫々繋がっていることとなり、図３に示すように、湿気のみが流通することが可能であり、当該外箱１内外の湿気が流通することとなる。これにより、常に、外箱１内外の湿度調整が行われ、外箱１内の湿度を外部とほぼ一定にすることにより、外箱１内の結露の発生、又は一旦発生した結露の継続を防止できる。
【００２１】
この様な結果、外箱１内の湿気を外部に流出させながら空気や塩分、塵埃の侵入を防止できるため事実上の密閉構造が実現でき、外箱１の内部機器の劣化を抑制出来る。また、外箱１を密閉することにより、外箱１内の機器の異常を来たすような危険要因の昆虫や小動物等の外箱１内への侵入を防止することが出来る。その結果、外箱１の中に収納設置した多回路開閉器５の長期間にわたる使用が出来、これらの機器の信頼性の向上にも繋がるものである。
【００２２】
また、調湿機能を有する部材を板体形状としたので、外箱２の開口部４を当該部材で塞いだ際には、当該外箱２内に収納されている多回路開閉器５等の邪魔にならず、さらには、外箱２内の密閉をし易く、使い勝手の良いものである。また、板体６の内外面に凹凸を設けた場合は、その分、内外面の表面積が多くなり、調湿機能はより増加することと成る。
【００２３】
前記実施例では、調湿機能を有する部材を板体形状としているが、調湿機能を有する部材は板体形状に限るものではない。また、調湿機能を有する部材として、積水化学工業株式会社製商品名「ロバリア」を使用しているが、湿気の吸放出を行う調湿機能を有する部材としては、これに限るものではなく、湿気のみ流通させる部材であれば、他のものでも良い。また、板体６を、外箱１の側面板３に設けた開口部４に取り付けているが、板体６を取り付ける開口部４の位置は側面板５に限定するものではなく、天井でもよい。
【図面の簡単な説明】
【００２４】
【図１】この発明の実施例の外箱の調湿構造を設けた状態を示す一部断面図である。
【図２】この発明の実施例の板体の斜視図である。
【図３】この発明の実施例の外箱の開口部に取り付けた板体が湿気のみを流通する様子を示す側面図である。
【符号の説明】
【００２５】
１    外箱                          ２    ベース
３    側面板                        ４    開口部
５    多回路開閉器                  ６    板体
７    空孔
【図１】
2009106030.tif 000003
【図２】
2009106030.tif 000004
【図３】
2009106030.tif 000005